(57)【要約】本発明は、折り曲げ可能な材料から構築されるベビーベッドあるいは揺りかごを開示する。該折り曲げ可能な材料は、単一のシート材料から多数の要素を形成するとともに、地面より上方で乳幼児を支えることができる。また、部品一式として、該ベビーベッドは部分的に組み立てられた状態で提供されてもよい。それにより、消費者による組み立てが容易となる。
2006511313.tif 000002
【特許請求の範囲】
【請求項１】
（ａ）折り曲げ可能なシート材料からなる２つの端部壁を備えるベース・システムを備え、
前記端部壁それぞれは、単一のシート材料から形成され、該単一のシート材料は折り曲げ線に沿って折り曲げられるとともに、該折り曲げ線の一方の側の第１部分の輪郭が、他方の側の第２部分の輪郭の少なくとも一部分と略同形とされ、
折り曲げた状態で、前記第１及び第２部分の突合わせ面が固定して結合され、
（ｂ）折り曲げ可能なシート材料から形成されるとともに少なくとも１つの予め形成された第１折り曲げ線を備える少なくとも１つの壁アセンブリを更に備え、
前記第１折り曲げ線は、一体的なヒンジ部を形成し、
該ヒンジ部は少なくとも１つの側壁と支持要素の少なくとも一部分とを区分し、
前記壁アセンブリを前記第１折り曲げ線に沿って折り曲げることにより第１折り曲げ部を形成し、
前記壁アセンブリの対向する２つの端部がそれぞれ前記２つの端部壁のうち１つと相互接続し、前記２つの端部壁が前記支持要素下方に延出可能とすることを特徴とするベビーベッド。
【請求項２】
前記少なくとも１つの壁アセンブリが２つの壁アセンブリであり、前記壁アセンブリのそれぞれが予め形成された強化リブ折り曲げ線を備え、
前記壁アセンブリを前記予め形成された強化リブ折り曲げ線に沿って折り曲げることにより強化リブを形成し、前記リブが前記支持要素の前記少なくとも一部分の一辺に沿って下方に突出するようにすることを特徴とする請求項１記載のベビーベッド。
【請求項３】
前記ベース・システムが更に少なくとも１つの架橋要素を備え、
該架橋要素が前記端部壁それぞれに取り付けられるとともに前記２つの端部壁を機械的に接続し、
前記端部壁が前記架橋要素下方に延出し、
前記架橋要素が少なくとも１つの長手方向のスロットを備え、
該スロットに少なくとも１つの強化リブが挿入されることを特徴とする請求項１記載のベビーベッド。
【請求項４】
前記端部壁それぞれが更に、少なくとも２つの水平に間隔を開けて形成されるとともに下方に延出するはめ合いスロットを備え、
前記側壁が少なくとも２つの上方に延出するはめ合いスロットを備え、
前記はめ合いスロットそれぞれが、前記側壁の側端部に隣接する領域に配され、
前記側壁の前記上方に延出するはめ合いスロットそれぞれが、前記端部壁それぞれの対応する前記下方に延出するはめ合いスロットと結合し、それにより前記側壁と前記２つの端部壁を相互接続し、
前記端部壁それぞれが少なくとも２つの材料層からなり、
前記下方に延出するはめ合いスロットそれぞれが、前記端部壁それぞれの前記層それぞれに形成される対応するスロット部からなり、それにより前記下方に延出するはめ合いスロットが内側に突出するリッジを備えるようにすることを特徴とする請求項１記載のベビーベッド。
【請求項５】
（ａ）折り曲げ可能なシート材料からなる２つの端部壁を有するベース・システムを備え、
前記２つの端部壁それぞれは、少なくとも２つの水平に間隔を開けて形成されるとともに、下方に延出するはめ合いスロットを備え、
（ｂ）折り曲げ可能なシート材料からなるとともに少なくとも２つの上方に延出するはめ合いスロットを有する少なくとも１つの側壁を更に備え、
前記上方に延出するはめ合いスロットそれぞれは、前記側壁の側端部に隣接する領域に配され、
（ｃ）少なくとも１つの前記ベース・システム及び前記壁アセンブリと相互接続されるとともに該ベビーベッドがその上に立つ表面にかかる負荷を支持する少なくとも１つの支持要素を更に備え、
前記側壁の前記上方に延出するはめ合いスロットそれぞれが、対応する前記端部壁それぞれの前記下方に延出するはめ合いスロットと結合し、それにより前記側壁と前記２つの端部壁を相互接続し、
前記端部壁それぞれが少なくとも２つの材料層からなり、
前記下方に延出するはめ合いスロットそれぞれが、対応するスロット部から形成され、
該スロット部が前記端部壁の前記層それぞれに形成され、
前記下方に延出するはめ合いスロットそれぞれが、内側に突出するリッジを備えることを特徴とするベビーベッド。
【請求項６】
前記端部壁それぞれが個別に単一のシート材料から形成され、該シート材料は折り曲げ線に沿って折り曲げられるとともに、該折り曲げ線の一方の側の第１部分の輪郭が、他方の端の側の第２部分の輪郭の少なくとも一部分と同形とされ、
前記壁アセンブリそれぞれが予め形成された強化リブ折り曲げ線を更に備え、
前記壁アセンブリを前記予め形成された強化リブ折り曲げ線に沿って折り曲げることにより、前記支持要素の一辺に沿って下方に突出する強化リブを形成することを特徴とする請求項５記載のベビーベッド。
【請求項７】
前記ベース・システムが更に少なくとも１つの架橋要素を備え、
該架橋要素が前記端部壁それぞれに取り付けられ、
前記２つの端部壁同士が前記架橋要素により機械的に結合され、
前記端部壁が前記架橋構要素の下方に延出することを特徴とする請求項５記載のベビーベッド。
【請求項８】
前記上方に延出するはめ合いスロットそれぞれが少なくとも２つの材料層からなり、
対応するスロット部が前記側壁の前記層それぞれに形成され、
前記上方に延出するはめ合いスロットそれぞれが表面チャネルを備え、
該表面チャネルが前記突出リッジと噛合うことを特徴とする請求項５記載のベビーベッド。
【請求項９】
（ａ）折り曲げ可能なシート材料から形成されるベース・システムを備え、
前記ベース・システムが、
（ｂ）２つの端部壁を備え、
（ｃ）前記端部壁それぞれに取り付けられる少なくとも１つの架橋要素を更に備え、
前記２つの端部壁は、前記架橋要素により機械的に結合されるとともに、前記架橋要素の上方及び下方に延出し、
前記架橋要素は、少なくとも１つの長手方向のスロットを備え、
該スロットには少なくとも１つの強化リブが挿入され、
（ｄ）折り曲げ可能なシート材料から形成される少なくとも１つの側壁を更に備え、
前記側壁の２つの対向する端部のそれぞれが、前記２つの端部壁のうち１つと相互接続し、
前記２つの端部壁が前記支持要素下方に延出し、
（ｅ）前記少なくとも１つのベース・システムと前記側壁と相互接続するとともに前記架橋要素上に支持される少なくとも１つの支持要素を備え、
前記壁アセンブリの２つの対向する端部それぞれが、前記２つの端部壁のうち１つと相互接続し、
前記２つの端部壁が前記支持要素下方に延出することを特徴とするベビーベッド。
【請求項１０】
前記端部壁それぞれが、少なくとも２つの水平に間隔を開けて形成されるとともに下方に延出するはめ合いスロットを更に備え、
前記側壁が、少なくとも２つの上方に延出するはめ合いスロットを備え、
前記はめ合いスロットそれぞれが、前記側壁の側端部に隣接する領域に配され、
前記側壁の前記上方に延出するはめ合いスロットそれぞれが、前記端部壁の前記対応する下方に延出するはめ合いスロットと結合し、それにより前記側壁と前記２つの端部壁を相互接続することを特徴とする請求項９記載のベビーベッド。
【請求項１１】
前記少なくとも１つの壁アセンブリが２つの壁アセンブリであり、
前記壁アセンブリそれぞれが、予め形成された強化リブ折り曲げ線を更に備え、
前記壁アセンブリを前記予め形成された強化リブ折り曲げ線に沿って折り曲げることにより、前記支持要素の一辺に沿って下方に突出する強化リブを形成することを特徴とする請求項９記載のベビーベッド。
【請求項１２】
前記架橋要素の各端部が折り曲げられることにより、アタッチメント・フラップを形成し、前記端部壁への取り付けを容易にすることを特徴とする請求項９記載のベビーベッド。
【請求項１３】
前記長手方向のスロットが前記アタッチメント・フラップ内に延出することにより、前記端部壁それぞれの表面に隣接する安定スロットを形成し、
前記安定スロットが、前記強化リブの末端を挿入可能であることを特徴とする請求項１３記載のベビーベッド。
【請求項１４】
前記架橋要素が、少なくとも１つの予め形成された横方向の折り曲げ線を備え、
前記架橋要素を前記予め形成された横方向の折り曲げ線に沿って折り曲げることにより、前記ベース・システムが小型化された保管状態とされることを特徴とする請求項９記載のベビーベッド。
【請求項１５】
前記端部壁それぞれが、少なくとも２つの水平に間隔を開けて形成された下方に延出するはめ合いスロットを更に備え、
前記側壁が少なくとも２つの上方に延出するはめ合いスロットを備え、
前記はめ合いスロットそれぞれが前記側壁の側端部に隣接する領域に配され、
前記側壁の前記上方に延出するはめ合いスロットそれぞれが、前記端部壁それぞれの、対応する前記下方に延出するはめ合いスロットと結合することにより前記側壁と前記２つの端部壁を相互接続し、
前記端部壁それぞれが少なくとも２つの材料層からなり、
前記下方に延出するはめ合いスロットが、対応するスロット部から形成され、
該スロット部が前記端部壁の前記層それぞれに形成され、
前記下方に延出するはめ合いスロットそれぞれが内側に突出するリッジを備え、
前記上方に延出するはめ合いスロットそれぞれが少なくとも２つの材料層からなり、
対応するスロット部が前記側壁の前記層それぞれに形成され、
前記上方に延出するはめ合いスロットそれぞれが表面チャネルを備え、
該表面チャネルが前記突出リッジと噛合うことを特徴とする請求項９記載のベビーベッド。
【請求項１６】
前記ベース・システムが単一の材料シートを折り曲げることにより一体的に形成され、該折り曲げにより前記架橋要素と前記２つの端部壁が区分されることを特徴とする請求項９記載のベビーベッド。
【請求項１７】
ベビーベッドを構成するための方法であって、
（ａ）折り曲げ可能なシート材料からなる２つの端部壁を備えるベース・システムと、少なくとも１つの長手方向のスロットを備える架橋要素を提供する段階であって、
前記２つの端部壁を前記架橋要素により機械的に結合し、
前記端部壁が前記橋要素下方に延出するようにする段階と、
（ｂ）折り曲げ可能なシート材料からなる少なくとも１つの壁アセンブリ内の第１折り曲げ部を、少なくとも予め形成された第１折り曲げ線に沿って折り曲げることにより、少なくとも１つの側壁及び少なくとも１つの支持要素を形成する段階であって、
前記第１折り曲げ線が一体的ヒンジ部を形成し、
該ヒンジ部が前記１つの側壁と前記少なくとも１つの支持要素を区分する段階と、
（ｃ）前記壁アセンブリの２つの対向する端部のそれぞれを前記２つの端部壁のうち１つと相互接続する段階であって、
前記２つの端部壁が前記支持要素下方に延出するようにする段階からなる方法。
【請求項１８】
端部壁ブランクを折り曲げ部に沿って折り曲げることにより、前記端部壁それぞれを個別に単一のシート材料から形成する段階であって、
前記端部壁の折り曲げ線の一方の側の第１部分の輪郭を、他方の側の第２部分の輪郭の少なくとも一部分と略同形とする段階と、
前記端部壁ブランクが折り曲げられたときに、前記第１及び第２部分の突合わせ面を固定して結合する段階を更に備えることを特徴とする請求項１７記載の方法。
【請求項１９】
前記少なくとも１つの壁アセンブリが２つの壁アセンブリであることを特徴とする請求項１７記載の方法。
【請求項２０】
壁アセンブリ・ブランクを側壁の折り曲げ線に沿って折り曲げることにより前記壁アセンブリそれぞれを単一のシート材料から形成し、前記折り曲げ線の一方の側の前記側壁の第１部分の輪郭を、前記折り曲げ線の他方の側の前記側壁の第２部分の輪郭の少なくとも一部分と略同形とする段階と、
前記壁アセンブリ・ブランクが折り曲げられたときに、前記側壁の前記第１及び第２部分の突合せ面を固定して結合する段階を更に備えることを特徴とする請求項１９記載の方法。
【請求項２１】
前記壁アセンブリそれぞれを予め形成された強化リブ折り曲げ線に沿って折り曲げることにより、前記支持要素の少なくとも一部分の一辺に沿って下方に突出する強化リブを形成する段階を更に備えることを特徴とする請求項１９記載の方法。
【請求項２２】
前記少なくとも１つの強化リブを前記少なくとも１つの長手方向のスロット内に挿入する段階を更に備えることを特徴とする請求項２１記載の方法。
【請求項２３】
前記端部壁を少なくとも１つの折り曲げ線を中心に回動させることにより小型化された保管状態と組み立てられた状態との間で様々な形態を可能とする段階を更に備えることを特徴とする請求項２１記載の方法。
【請求項２４】
前記相互接続する段階が、前記端部壁それぞれの少なくとも２つの水平に間隔を開けて形成された下方に延出するはめ合いスロットのうち１つを、前記側壁それぞれの少なくとも２つの対応する上方に延出するはめ合いスロットと噛み合わせる段階を備え、
前記上方に延出するはめ合いスロットそれぞれが前記側壁の側端部に隣接する領域に配され、
前記端部壁それぞれが少なくとも２つの材料層からなり、
前記下方に延出するはめ合いスロットそれぞれが対応するスロット部から形成され、
該スロット部が前記端部壁の前記層それぞれに形成され、
前記下方に延出するはめ合いスロットそれぞれが内側に延出する突出リッジを備え、
前記側壁それぞれが少なくとも２つの層からなり、
前記上方に延出するはめ合いスロットそれぞれが、対応するスロット部が前記側壁の前記層それぞれに形成されるように形成され、
前記上方に延出するはめ合いスロットそれぞれが表面チャネルを備え、
該チャネルが前記突出リッジと噛合うことを特徴とする請求項２１記載の方法。
【発明の詳細な説明】
【技術分野】
【０００１】
本発明は、ベビーベッドおよび揺りかごに関し、より詳しくは、段ボールを折り曲げて形成されるとともに、地面より上方で乳幼児を支えるベビーベッドに関する。
【背景技術】
【０００２】
家具を組み立てるにあたり、段ボールやそれに似た折り曲げ可能な材料を用いることはよく知られている。構築材料としての段ボールのような材料の利点は、折り曲げが可能という点である。折り曲げることにより、強度を強めることができ、単一のシート材料から通常二つまたは二つ以上の要素を形成することができる。よく知られた例の１つに箱が挙げられる。もし、箱が木材で組み立てられるのなら、少なくとも６つの部分（４側面と上下２面）が必要である。しかし、段ボールは、的確に切り込んで折り曲げ、一辺に沿って接着し、単一のシート材料から４側面と上下２面を形成することができる。
【発明の開示】
【発明が解決しようとする課題】
【０００３】
乳児用寝台を構築する段ボールの使用は、米国特許第４，２５０，５８０号（Eichenauer）、米国特許第５，１１５，５２４号(Antosko)、米国特許第５，０３８，４２６号 (Boritski) に記載されている。これらの考案物は、側壁や底部などの多数の要素を単一のシート材料から形成するものとして利用されているが、いずれにも地面より上方の支柱によって支えられていない。つまり、これらの考案物は、箱を少し変異させた程度のもので、箱の平な底部が接地面となる。
【０００４】
段ボール製の揺りかご（www.returdesign.se/english/child/5.jpgにて表示）は、軽量かつ強度を保つ段ボールを使用する。この揺りかごは、地面よりも上方で寝台を支えており、美しい形を持つ。しかし、各要素は、別個のシート材料から形成されている。つまり、２つの末端部と２つの側壁そしてベッドの底部は、異なる５つの要素から形成されており、単一のシート材料から多数の要素を形成する特徴は見られない。末端部の接地面の輪郭は、揺りかごを揺らすことを可能にするが、この輪郭は、揺れの程度を制限するような形状ではなく、もし極端にかごが揺れた場合、転倒する恐れがある。
それゆえに、単一のシート材料から多数の要素を形成するとともに、地面よりも上方で乳幼児を支える折り曲げ可能な材料から構成されるベビーベッドの必要性がある。
【０００５】
【特許文献１】米国特許第４，２５０，５８０号公報
【特許文献２】米国特許第５，１１５，５２４号公報
【特許文献３】米国特許第５，０３８，４２６号公報
【課題を解決するための手段】
【０００６】
本発明は、（ａ）折り曲げ可能なシート材料からなる２つの端部壁を備えるベース・システムと、（ｂ）折り曲げ可能なシート材料からなる少なくとも１つの壁アセンブリを備え、該壁アセンブリが少なくとも１つの予め形成された第1折り曲げ線を備え、一体的なヒンジ部を形成し、該ヒンジ部が少なくとも１つの側壁と支持要素の少なくとも一部とを区分し、該壁アセンブリを第１折り曲げ線に沿って折り曲げることにより第１折り曲げ部を形成し、該壁アセンブリの２つの対向する端部それぞれが、２つの端部壁のうち１つと相互接続し、該２つの端部壁が該支持要素下方に延出することを特徴とするベビーベッドを提供する。
【０００７】
本発明は更に、該壁アセンブリが少なくとも第１及び第２の予め形成された折り曲げ線を備え、該折り曲げ線が２つの一体的なヒンジ部を形成することにより、２つの側壁に挟まれた支持要素を区分することを特徴とする。
本発明は更に、該壁アセンブリが該支持要素内に更に少なくとも第３、第４、第５の予め形成された折り曲げ線を備え、該壁アセンブリを該第３、第４、第５の予め形成された折り曲げ線に沿って折り曲げることにより、該支持要素内に、下方に突出するＶ字形状を備える強化リブを形成することを特徴とする。
本発明は更に、該端部壁が地面と接する曲線状の表面を備え、該曲線状表面が、該ベビーベッドが揺れることを可能にし、該曲線状表面が揺れ幅を制限する輪郭を備えることを特徴とする。
本発明は更に、該シート材料を折り曲げ線に沿って折り曲げることにより、該端部壁それぞれが個別に単一のシート材料から形成され、該折り曲げ線の一方の側の第１部分の輪郭が、該折り曲げ線の他方の側の第２部分の輪郭の少なくとも一部分と略同形とされることを特徴とする。
本発明は更に、折り曲げた状態で、該第１及び第２部分の突合わせ面が固定して結合されることを特徴とする。
本発明は更に、該少なくとも１つの壁アセンブリが２つの壁アセンブリとされることを特徴とする。
【０００８】
本発明は更に、該壁アセンブリそれぞれが単一シートから形成され、該壁アセンブリの該側壁が折り曲げ線に沿って折り曲げられることにより、該折り曲げ線の一方の側の第１部分の輪郭が、該折り曲げ線の他方の側の第２部分の輪郭の少なくとも一部分と略同形とされることを特徴とする。
本発明は更に、折り曲げた状態において、該側壁の第１及び第２部分の突合わせ面が固定して結合されることを特徴とする。
本発明は更に、該壁アセンブリそれぞれが更に予め形成された強化リブ折り曲げ線を備え、該壁アセンブリを該予め形成された強化リブ折り曲げ線に沿って折り曲げることにより、該支持要素の少なくとも一部分の一辺に沿って下方に突出する強化リブが形成されることを特徴とする。
本発明は更に、該ベース・システムが少なくとも１つの架橋要素を更に備え、該架橋要素は該端部壁それぞれに取り付けられ、該２つの端部壁が該架橋要素により機械的に接続され、該端部壁が該架橋要素下方に延出することを特徴とする。
本発明は更に、該架橋要素が少なくとも１つの長手方向のスロットを備え、該スロットが少なくとも１つの強化リブを挿入可能とすることを特徴とする。
本発明は更に、該架橋要素の各端部を折り曲げることにより、アタッチメント・フラップを形成し、該フラップが該端部壁との結合を容易にすることを特徴とする。
本発明は更に、該アタッチメント・フラップを形成することで作られる折り曲げ部を中心に該端部壁が回動することにより、小型化された保管状態と組み立て状態の間での形状変化が可能となることを特徴とする。
本発明は更に、該長手方向のスロットがアタッチメント・フラップ内に延出することにより安定スロットを形成し、該スロットが該端部壁それぞれの表面に隣接するとともに該強化リブの末端を挿入可能とすることを特徴とする。
【０００９】
本発明は更に、該架橋要素が少なくとも１つの予め形成された横方向の折り曲げ線を備え、該架橋要素を該予め形成された横方向の折り曲げ線に沿って折り曲げ、該端部壁を突合わせ面に向け、それにより該ベース・システムが小型化された保管状態と組み立て状態との間で様々な形態をとることが可能とされることを特徴とする。
本発明は更に、該端部壁それぞれが更に少なくとも２つの水平に間隔を開けて形成された下方に延出するはめ合いスロットを備え、該側壁が少なくとも２つの上方に延出するはめ合いスロットを備え、該はめ合いスロットそれぞれが該側壁の側端部に隣接する領域に配され、該側壁の該上方に延出するはめ合いスロットそれぞれが、対応する該端部壁の該下方に延出するはめ合いスロットそれぞれと結合し、それにより該側壁と該２つの端部壁を相互接続することを特徴とする。
本発明は更に、該端部壁それぞれが少なくとも２つの材料層を備え、該下方に延出するはめ合いスロットそれぞれが対応するスロット部から形成され、該スロット部が該端部壁の該層それぞれに形成され、該下方に延出するはめ合いスロットそれぞれが内側に突出するリッジを備えることを特徴とする。
本発明は更に、該上方に延出するはめ合いスロットそれぞれが少なくとも２つの材料層から形成され、対応するスロット部が該側壁の該層それぞれに形成され、該対応するスロット部の一方が、該対応するスロット部の他方より長いものとされ、該上方に延出するはめ合いスロットそれぞれが該突出リッジと噛合う表面チャネルを備えることを特徴とする。
本発明は更に、該下方に延出するスロットそれぞれが垂直面に対して１０度から４５度の角度で傾斜されることを特徴とする。
【００１０】
本発明は、（ａ）折り曲げ可能なシート材料から形成される２つの端部壁を備えるベース・システムを備え、該２つの端部壁のそれぞれは、少なくとも２つの水平に間隔を開けて形成された下方に延出するはめ合いスロットを備え、（ｂ）折り曲げ可能なシート材料から形成されるとともに、少なくとも２つの上方に延出するはめ合いスロットを備える少なくとも１つの側壁を更に備え、該上方に延出するはめ合いスロットそれぞれが該側壁の側端部に隣接する領域に配され、（ｃ）少なくとも１つの該ベース・システム及び該壁アセンブリと相互接続されるとともに、該ベビーベッドがその上に立つ表面上にかかる負荷を支持する少なくとも１つの支持要素を更に備え、該側壁の該上方に延出するはめ合いスロットそれぞれが、該端部壁それぞれの、対応する下方に延出するはめ合いスロットと結合し、それにより該側壁と該２つの端部壁が相互接続されることを特徴とするベビーベッドを提供する。
【００１１】
本発明は更に、該側壁と該支持要素の少なくとも一部が一体的に形成され、少なくとも予め形成された第１折り曲げ線を備える壁アセンブリが形成され、一体的なヒンジ部が形成され、該ヒンジ部が少なくとも１つの側壁と支持要素の少なくとも一部を区分し、第１折り曲げ部が該壁アセンブリを該第１折り曲げ線に沿って折り曲げることにより形成されることを特徴とする。
本発明は更に、該壁アセンブリが少なくとも第１および第２の予め形成された折り曲げ線を備えて２つの一体的なヒンジ部を形成し、それにより２つの側壁に挟まれる支持要素を区分することを特徴とする。
本発明は更に、該壁アセンブリが該支持要素内に更に少なくとも第３、第４、第５の予め形成された折り曲げ線を備え、該第３、第４、第５の予め形成された折り曲げ線に沿って該壁アセンブリを折り曲げることにより、該支持要素内に下方に延出するＶ字形状を備える強化リブが形成されることを特徴とする。
本発明は更に、該端部壁それぞれが個別に単一の材料シートから形成され、該材料シートが折り曲げ線に沿って折り曲げられることにより、該折り曲げ線の一方の側の第１部分の輪郭が、該折り曲げ線の他方の側の第２部分の輪郭の少なくとも一部分と同形とされることを特徴とする。
本発明は更に、第１及び第２部分の突合わせ面が固定して結合されることを特徴とする。
本発明は更に、該少なくとも１つの壁アセンブリが２つの壁アセンブリとされることを特徴とする。
本発明は更に、該壁アセンブリそれぞれが単一シートから形成され、該壁アセンブリの該側壁が、折り曲げ線に沿って折り曲げられることにより、該折り曲げ線の一方の側の第１部分の輪郭が、該折り曲げ線の他方の側の第２部分の輪郭の少なくとも一部分と同形とされることを特徴とする。
本発明は更に、該側壁の該第１及び第２部分の突合わせ面が固定して結合されることを特徴とする。
【００１２】
本発明は更に、該壁アセンブリそれぞれが更に、予め形成された強化リブ折り曲げ線を備え、該壁アセンブリを該予め形成された強化リブ折り曲げ線に沿って折り曲げることにより、該支持要素の一辺に沿って下方に突出する強化リブを形成することを特徴とする。
本発明は更に、該ベース・システムが、少なくとも１つの架橋要素を更に備え、該架橋要素が該端部壁それぞれに取り付けられ、該架橋要素が該２つの端部壁を機械的に結合し、該端部壁が該架橋要素下方に延出することを特徴とする。
本発明は更に、該架橋要素が少なくとも１つの長手方向のスロットを備え、該スロットに少なくとも１つの強化リブが挿入可能であることを特徴とする。
本発明は更に、該端部壁のそれぞれが少なくとも２つの材料層から形成され、該下方に延出するはめ合いスロットのそれぞれが該端部壁の該層それぞれに形成される対応するスロット部から形成され、該下方に延出するはめ合いスロットそれぞれが内側に突出するリッジを備えるように形成されることを特徴とする。
本発明は更に、該上方に延出するはめ合いスロットそれぞれが少なくとも２つの材料層から形成され、それにより対応するスロット部が該側壁の該層それぞれに形成され、それにより該上方に延出するはめ合いスロットそれぞれが該突出リッジと噛合う表面チャネルを備えるように形成されることを特徴とする。
本発明は更に、該下方に延出するはめ合いスロットそれぞれが垂直面に対して１０度から４５度の角度で傾斜されることを特徴とする。
【００１３】
本発明は、（ａ）折り曲げ可能なシート材料からなるベース・システムを備え、該ベース・システムが（ｉ）２つの端部壁を備え、（ｉｉ）該端部壁それぞれに取り付けられる少なくとも１つの架橋要素を更に備え、該架橋要素が該２つの端部壁を機械的に接続し、該端部壁が該架橋要素の上方及び下方に延出し、（ｂ）折り曲げ可能なシート材料からなる少なくとも１つの側壁を更に備え、該側壁の２つの対向する端部それぞれが該２つの端部壁のうち１つと相互接続し、該２つの端部壁が該支持要素下方に延出し、（ｃ）少なくとも１つのベース・システム及び該側壁と相互接続するとともに、該架橋要素上に支持される少なくとも１つの支持要素を更に備え、該壁アセンブリの２つの対向する端部それぞれが、該２つの端部壁のうち１つと相互接続し、それにより該２つの端部壁が該支持要素下方に延出することを特徴とするベビーベッドを提供する。
【００１４】
本発明は更に、該側壁と該支持要素の少なくとも一部分が一体的に形成され、それにより少なくとも予め形成された第１折り曲げ線を備える壁アセンブリが形成され、該折り曲げ線が少なくとも１つの側壁と支持要素の少なくとも一部分を区分する一体的なヒンジ部を形成し、それにより該壁アセンブリを該第１折り曲げ線に沿って折り曲げることにより第１折り曲げ部が形成されることを特徴とする。
本発明は更に、該端部壁それぞれが更に少なくとも２つの水平に間隔を開けて形成された下方に延出するはめ合いスロットを備え、該側壁が少なくとも２つの上方に延出するはめ合いスロットを備え、該はめ合いスロットそれぞれが該側壁の側端部に隣接する領域に配され、該側壁の該上方に延出するはめ合いスロットそれぞれが該端部壁それぞれの対応する該下方に延出するはめ合いスロットと結合し、それにより該側壁と該２つの端部壁を相互接続することを特徴とする。
本発明は更に、該少なくとも１つの壁アセンブリが２つの壁アセンブリであることを特徴とする。
本発明は更に、該壁アセンブリそれぞれが更に予め形成された強化リブ折り曲げ線を備え、該壁アセンブリを該予め形成された強化リブ折り曲げ線に沿って折り曲げることにより該支持要素の一辺に沿って下方に突出する強化リブが形成されることを特徴とする。
本発明は更に、該架橋要素が少なくとも１つの長手方向のスロットを備え、該スロットに少なくとも１つの強化リブが挿入可能であることを特徴とする。
本発明は更に、該架橋要素の各端部が折り曲げられ、アタッチメント・フラップが形成され、該フラップが該端部壁への結合を容易にすることを特徴とする。
本発明は更に、該長手方向のスロットが該アタッチメント・フラップ内に延出して、該端部壁それぞれの表面に隣接する安定スロットを形成し、該安定スロットに該強化リブの末端が挿入可能であることを特徴とする。
本発明は更に、該架橋要素が少なくとも１つの横方向の折り曲げ線を備え、該架橋要素を該予め形成された横方向の折り曲げ線に沿って折り曲げることにより該ベース・システムが小型化された保管状態とされることを特徴とする。
【００１５】
本発明は更に、該端部壁が更に少なくとも２つの水平に間隔を開けて形成された下方に延出するはめ合いスロットを備え、該側壁が少なくとも２つの上方に延出するはめ合いスロットを備え、各はめ合いスロットが該側壁の側端部に隣接する領域に配され、該側壁の該上方に延出するはめ合いスロットそれぞれが、対応する該端部壁それぞれの下方に延出するはめ合いスロットと結合し、それにより該側壁と該２つの端部壁が相互接続されることを特徴とする。
本発明は更に、該端部壁が少なくとも２つの材料層からなり、該下方に延出するはめ合いスロットそれぞれが、該端部壁の該層それぞれに形成される対応するスロット部から形成され、該下方に延出するはめ合いスロットそれぞれが内側に突出するリッジを備えることを特徴とする。
本発明は更に、該上方に延出するはめ合いスロットそれぞれが少なくとも２つの材料層からなり、対応するスロット部が該側壁の該層それぞれに形成され、該上方に延出するはめ合いスロットそれぞれが該突出リッジと噛合う表面チャネルを備えることを特徴とする。
本発明は更に、該ベース・システムが単一の材料シートを折り曲げることにより一体的に形成され、該折り曲げ部が該架橋要素と該２つの端部壁を区分することを特徴とする。
【００１６】
本発明は、ベビーベッドを構築するための方法であって、（ａ）折り曲げ可能なシート材料からなる２つの端部壁を備えるベース・システムを提供する段階と、（ｂ）少なくとも１つの壁アセンブリを少なくとも予め形成された第１折り曲げ線に沿って折り曲げることにより少なくとも１つの側壁及び支持要素の少なくとも一部分を形成する段階であって、該壁アセンブリが、折り曲げ可能なシート材料から形成され、該第１折り曲げ線が一体的なヒンジ部を形成し、該ヒンジ部が１つの該側壁と支持要素の少なくとも一部分を区分し、（ｃ）該壁アセンブリの２つの対向する端部それぞれを該２つの端部壁のうち一つと相互接続する段階であって、該２つの端部壁が該支持要素下方に延出するようにする段階からなる方法を提供する。
【００１７】
本発明は更に、該壁アセンブリを少なくとも第１及び第２の予め形成された折り曲げ線に沿って折り曲げる段階が提供され、２つの一体的なヒンジ部が形成され、それにより２つの側壁に挟まれる支持要素が形成されることを特徴とする。
本発明は更に、該壁アセンブリを該支持要素の少なくとも第３、第４、第５の予め形成された折り曲げ線に沿って折り曲げる段階が提供され、それにより下方に突出するＶ字形状を備える強化リブが該支持要素内に形成されることを特徴とする。
本発明は更に、端部壁ブランクを折り曲げ線に沿って折り曲げることにより、該端部壁それぞれを個別に単一のシート材料から形成する段階が提供され、それにより該折り曲げ線の一方の側の第１部分の輪郭が、該折り曲げ線の他方の側の第２部分の輪郭の少なくとも一部分と略同形とされることを特徴とする。
本発明は更に、該端部壁ブランクが折り曲げられるときに、該第１及び第２部分の突合わせ面を固定して結合する段階が提供されることを特徴とする。
本発明は更に、該少なくとも１つの壁アセンブリが２つの壁アセンブリとされることを特徴とする。
本発明は更に、壁アセンブリ・ブランクを折り曲げ線に沿って折り曲げることにより、該壁アセンブリそれぞれを単一のシートから形成する段階が提供され、それにより該折り曲げ線の一方の側の第１部分の輪郭が、該折り曲げ線の他方の側の第２部分の輪郭の少なくとも一部分と略同形とされることを特徴とする。
本発明は更に、該壁アセンブリ・ブランクが折り曲げられるときに、該側壁の該第１及び第２部分の突合わせ面を固定して結合する段階が提供されることを特徴とする。
本発明は更に、該壁アセンブリそれぞれを予め形成された強化リブ折り曲げ線に沿って折り曲げる段階が提供され、それにより該支持要素の該部分の一辺に沿って下方に突出する強化リブが形成されることを特徴とする。
本発明は更に、少なくとも１つの架橋要素を該端部壁それぞれに取り付ける段階が提供され、それにより該２つの端部壁が該架橋要素により機械的に結合され、該端部壁が該架橋要素下方に延出することを特徴とする。
本発明は更に、該ベース・システムを、単一のシート材料であるベース・システム・ブランクを折り曲げ線に沿って折り曲げることにより形成する段階が提供され、該折り曲げ線は該架橋要素と、該ベース・システムの一体形成部分としての該２つの端部壁を区分することを特徴とする。
本発明は更に、該端部壁を少なくとも１つの折り曲げ線を中心に回動させる段階が提供され、それにより小型化された保管状態と組み立てられた状態の間で様々な形態が可能とされることを特徴とする。
【００１８】
本発明は更に、該相互接続する段階が、該各端部壁内の少なくとも２つの水平に間隔を開けて形成された下方に延出するはめ合いスロットのうち１つと、該各側壁内の少なくとも２つの上方に延出するはめ合いスロットのうち１つを噛合わせる段階を備え、該上方に延出するはめ合いスロットそれぞれが該側壁の側端部に隣接する領域に配されることを特徴とする。
本発明は更に、該端部壁それぞれが少なくとも２つの材料層からなり、下方に延出するはめ合いスロットそれぞれが対応するスロット部から形成され、該スロット部が該端部壁の該層それぞれに形成され、それにより下方に延出するはめ合いスロットそれぞれが内側に突出するリッジを備えるものとされることを特徴とする。
本発明は更に、該側壁それぞれが少なくとも２つの層からなり、それにより上方に延出するはめ合いスロットそれぞれが形成され、また対応するスロット部が該側壁の該層それぞれに形成され、該上方に延出するはめ合いスロットそれぞれが該突出リッジと噛合う表面チャネルを備えることを特徴とする。
【発明の効果】
【００１９】
本発明は、折り曲げ可能な材料から構築されるベビーベッドである。該折り曲げ可能な材料は、単一のシート材料から多様な要素を形成可能とする。本発明はユーザを地面より上に支持する。
【発明を実施するための最良の形態】
【００２０】
本発明はここにおいて、付随する図面を参照して説明されるが、単に例示のみである。
本発明は、単一のシート材料から多数の要素を形成するとともに、地面よりも上方で乳幼児を支える折り曲げ可能な材料から構成されるベビーベッドに関する。
本発明において、単一のシート材料から多数の要素を形成するとともに、地面よりも上方で乳幼児を支える折り曲げ可能な材料から構成されるベビーベッドの原理および操作については、図と説明によってより詳しく理解することができる。
【００２１】
前置きとして、ここでの考察は、本発明における二つの好ましい揺りかごの実施形態を対象としたものであるが、本発明の原理は、揺れることのない安定したベビーベッドの実施形態にも同様に応用することができる。つまり、揺れという本発明の特色に直接言及する場合を除き、ここでの用語「ベビーベッド」は、揺れる又は揺れないベビーベッドを意味する。
【００２２】
以下で詳細に説明するように、本発明の特徴は、好ましい実施形態でも明らかにされるように、組み合わせて使用してもよいが、別々に使用しても有用性が得られる。これらの特徴として、単一の折り曲げ可能な材料を折り曲げて少なくとも1つの側壁及び指示要素の少なくとも一部分を形成すること、２つの端部壁と架橋要素を相互接続すること（尚、該架橋要素は地面より上方で固定されている）、壁アセンブリとベース・システムを相互接続用スロットを用いて相互接続することが挙げられる。また、ここでの「地面より上方」という表現は、ベビーベッド全長の２０％から７０％程度の高さであることが好ましいが、どのような高さでも地面よりも上方であれば本発明の範囲内である。
【００２３】
本発明の原理は、折り曲げ可能な材料により、ベビーベッドを構成することである。折り曲げ可能な材料は、好ましくは段ボールとされるが、これに制限はされない。すなわち、段ボールを使用すると、単一または複数の壁構造を形成することができる。  図２０に示しているように、単一の壁を形成する段ボール２１０は、二つの平らな層２１２の間に配される波型層２１４を含む。二重の壁構造２２０は、三つの平らな層２１２の間に配される二つの波形層２１４を含む。また、三重の壁構造２３０は、四つの平らな層２１２の間に配される三つの波形層２１４を含む。
【００２４】
本発明における幾つかの実施形態において、端部壁および側壁（これらに限定はされない）のようなベビーベッドの一部分は、折り曲げ可能な材料の複数の層から構成することができる。つまり、複数シートを接着したもの、単一シートを折り畳んで突合せ面を接着したもの、或いは、これらを組み合わせたものとすることが可能である。単一のシートを折り畳んだ場合、シートを平らに広げると、各々の部分には、折り畳んだ反対側の部分と同形の輪郭を持つ。このことは、図５にて図示される。図中では、シートを平らに広げ、各々の部分の輪郭がもう一方の部分と同形となる際、壁部３０と３２が折り曲げ線４４を挟んで対称となる。尚、ここでの「輪郭」との用語は、「同形」との用語と併用して用いられる場合、部分の輪郭を意味する。尚、スロット及びリブは部分の一部であるが、特に記載されない限り「同形」とならない。
【００２５】
本発明の更なる原理は、構築材料の折り曲げ可能である性質を利用することにある。このために、幾つかの実施形態においては、多数の要素が単一ブランクに含まれる。該単一ブランクを折り曲げて、個々の要素を区分し、それらを適切な位置に配する。図３の壁アセンブリ１０と図２１のベース・システム・ブランク２５０aが例として記載されているが、これらの形状に限定はされない。図２２で図示されているように、ベース・システム・ブランク２５０aは、ベース・システム２５０を形成するために折り曲げ線２５２と２５４に沿って折り曲げられる。尚、ベース・システム・ブランク２５０aは、この形状に限定されるものではない。図２２では、２つの端部壁２２は、架橋要素２６によって相互接続し、該架橋要素２６は、端部壁の内側に形成されたものである。
【００２６】
ここでは、幾つかの好ましい実施形態について参照する。図１における第一の好ましい実施形態は、本発明におけるベビーベッド２の簡略な形態を示す。該ベビーベッドは、架橋要素８によって結合された２つの端部壁６を有するベース・システム４（図２）を備える。図３の壁アセンブリ１０は、折り曲げ可能な単一のシート材料から構成される。該シート材料は、支持要素１４が２つの端部壁１２に挟まれるよう二度折られる。ベビーベッド２を形成するために、２つの端部壁６間に架橋要素８が設置される。また、ベース・システムが、壁アセンブリによって結合される２つの端部壁（図２a）から構成されてもよい。
【００２７】
本発明における第二の好ましい実施形態は図４に示され、架橋要素２６（図１４参照）により結合された２つの端部壁２２を備えるベース・システムと２つの壁アセンブリ２４を示す。端部壁は、折り曲げ可能な材料のブランク２２aから構成される。この折り曲げ可能な材料は折り曲げられ、突合せ面が固定されて取り付けられることが好ましく、接着には生分解性の接着剤を使用することが望ましい。
【００２８】
端部壁ブランク２４aの各々部分３０と３２には、下方に延出するはめ合いスロットの一部を含み、該スロットは、壁アセンブリと端部壁とを相互接続させる。尚、用語「下方に」と「上方に」は、各はめ合いスロットの位置方向をここでは意味する。つまり、ベビーベッドが組み立てられる際の位置方向を示す。図６で示すように、スロット部分は各々異なった形態を持つ。スロット部分３４は、ほぼ均一な幅を全体に有し、スロット部分３６は、スロット部分３４の幅とほぼ等しい第１部分３８と第１部分３８の幅よりも少し狭い第２部分４０を有する。はめ合いスロット４６は、折り曲げ線に沿って部分３２上に端部壁部分３０を折り曲げて形成される。これにより、スロット部分３４と３８は一直線上に並び、スロット部分４０に隣接する部分３２の領域４２は、スロット部分３４まで延出する内側に突出するリッジを形成する。また、該突出リッジは、上方に突出するはめ合いスロット内の表面チャネルと結合する。尚、該はめ合いスロットは、側壁部内に配されるが、このことは後に詳述する。端部壁の下方に延出するはめ合いスロットの角度方向が、端部壁の角度方向を決定する。それゆえに、スロットが下方に延出すると同時に、好ましくは内側に傾斜する。この傾斜は、用途にもよるが、垂直面に対して、傾斜１０度から４５度の傾きを有する。尚、この範囲を超えた傾きは本発明の範囲内である。
【００２９】
注目すべきは、壁アセンブリとベース・システムとの相互接続は、上述したスロットが好適に配列されなくても実現されるという点である。この相互接続には、スロットに挿入されるツメ、粘着性のタブ、マジックテープ、ピン、ナット、ねじ、そしてボルトが含まれるが、これらに限定されるものではない。
【００３０】
端部壁２２の接地面５０は、曲線状揺り子領域５２で形成される。また、該揺り子領域５２は、安全装置としての揺れ制限部位５４に挟まれる。
【００３１】
図８から１１で図示されているように、壁アセンブリは、各々ブランク２４aから構成される。該ブランク２４aは、予め形成された折り曲げ線６０を含む。尚、該折り曲げ線６０は、一体的なヒンジ部であり、強化リブ６２と支持要素６４を区分する。予め形成された折り曲げ線６６は、一体的なヒンジ部であり、支持要素６４と側壁部分６８を区分する。側壁部分６８は、上方に延出するはめ合いスロットの部分７２を含む。該はめ合いスロットは、ほぼ均一の幅を全体に有する。側壁部７０のスロット部分８０には、スロット部分７２の幅とほぼ等しい第１部分７４と、該第１部分７２の幅よりも狭い第２部分７６を有する。側壁部７０の輪郭は、側壁部６８と少なくとも部分的に同形となり、ブランク２４aが折り曲げ線７８に沿って折り曲げられた際、スロットは一直線上に並び、はめ合いスロット８２を形成する。つまり、ここでは、スロット部分７２と７４は、ほぼ同じ幅と長さを有するが、スロット部７６は、スロット部７４よりも更に延出する。このことにより、表面チャネルが形成され、端部壁内で下方に延出するはめ合いスロットの内側に突出するリッジを、該表面チャネルに挿入することができる。
【００３２】
図１０は側壁と端部壁が結合部の断面図を示す。この結合部では、側壁部７０がスロット部４０に挿入されるが、側壁部６８はスロット部３４のみに挿入され、表面チャネル７６内で、端部壁の突出リッジ４２で固定される。
【００３３】
図１２と１３で図示される架橋要素２６についての好ましい実施形態は、スロット１０２を備える。該スロット１０２は、壁アセンブリ２４aの強化リブ６２を取り外し可能に噛み合せる。架橋要素２６の末端を、折り曲げ線１１０と１１２に沿って折り曲げる。これにより、アタッチメント・フラップ１０４が形成される。該アタッチメント・フラップ１０４は、架橋要素２６を各端部壁２２に取り付けるために用いられる。これにより、ベビーベッド２０のベース・システム１２０（図１４）を形成する。架橋要素２６を、予め形成された折り曲げ線１０６に沿って折り曲げることにより、ベース・システムを折り畳んで、折り曲げられた保管状態１２６（図１５）にすることが可能である。架橋要素におけるこの実施形態では、スロット１０２はアタッチメント・フラップ１０４内まで伸び、安定スロット１０８を形成する。尚、該安定スロット１０８は、強化リブの末端部と噛み合わさり、強化リブを補助する。
【００３４】
例えば、上述で示した３つの異なる部品と１つのベース・システムおよび２つの壁アセンブリからなる部品一式は比較的小型で軽量（例えば４．５ｋｇ以内）の商品として消費者に提供されることが好ましい。更に、簡単にベビーベッドを組み立てることができ、道具や特別な技術を必要としないことが好ましい。
【００３５】
注目すべきは、装飾用の穴部が、端壁部および／または側壁部を切って穴を開けることにより形成可能である点である。これは、隣接する側壁部周辺に枠を形成するか、又は、図５中の取手８４のような（これには限定されない）取手を形成するためである。尚、突合せ面を折り曲げ接着する前もしくは後に、該領域に装飾物を取り付けることも可能である。
【００３６】
図１６は架橋要素の可能な実施形態を示す。実施形態には、単一要素１５０、１つのスロットを挟むように形成される２つの要素１５２、２つのスロットをその間に備える３つの要素１５４、１つのスロットがその内部に形成される１つの要素１５６、２つのスロットがその内部に形成される１つの要素１５８、アタッチメント・フラップを備えた１つの要素１６０、アタッチメント・フラップと安定スロットを有する１つのスロットを備えた１つの要素１６２、アタッチメント・フラップと１つのスロットを備えた１つの要素１６４が挙げられるが、これらに限定はされない。
【００３７】
図１７は、架橋要素を折り曲げる、または取り外すための可能な実施形態を示す。このとき、ベース・システムを折り畳んで、折り曲げられた保管状態となる。実施形態には、取外し可能なリッジ要素１７０、１つの折り曲げ部を有する要素１７２、２つの折り曲げ部を有する要素１７４、３つの折り曲げ部を有する要素１７６、２つの部分から成る要素１７８、そして３つの部分から成る要素１８０が挙げられるが、これらに限定はされない。
【００３８】
図１８は、支持要素が架橋要素に結合する幾つかの可能な形態を示す。これらの形態には、架橋要素上に配される１つの支持要素１９０、架橋要素内のスロット内に挿入される強化リブを備えた２つの支持要素１９２、架橋要素内のスロット内に挿入される折り曲げ部を備えた１つの支持要素１９４、各端部で、架橋要素と安定スロット内のスロットに挿入された強化リブを備える２つの支持要素１９６、各端部で、架橋要素と安定スロット内のスロットに挿入された折り曲げ部を備える１つの支持要素１９８が挙げられるが、これらに限定はされない。
【００３９】
最後に、図１９は、壁アセンブリの幾つかの可能な形態を示す。これらの形態には、側壁に挟まれる支持要素を備える１つの壁アセンブリ２００、重なり合う支持要素を備える２つの壁アセンブリ２０２、架橋要素のスロットに挿入された隣接する強化リブを備える２つの壁アセンブリ２０４、壁アセンブリ間の溝を埋める別個の支持要素を備える架橋要素内の２つのスロットに個別に挿入された強化リブを備える２つの壁アセンブリ２０６が挙げられるが、これらに制限はされない。
【００４０】
本発明によるベビーベッドの構築は、以下の手順（尚、これらの幾つかの手順には、製造工程の一端として行われる手順もあれば、最終組み立ての際に、消費者によって行われる手順もある）に従って行うことができるが、これに限定はされない。
【００４１】
１．ベース・システムの組み立て
この工程には、以下の内容が含まれる。２つの端部壁を形成する。それぞれは、個別に単一の折り曲げ可能なシート材料から形成される。該シート材料は、折り曲げ線に沿って折り曲げることができる。その結果、該折り曲げ線の一方の側の該端部壁の第１部分の輪郭が、該折り曲げ線の他方の側の該端部壁の第２部分の輪郭と略同形となる。
次に、架橋要素を用いて、２つの側壁を結合させる。該架橋要素は地面より上方で固定され、少なくとも１つの長手方向のスロットを備えてもよい。
ベース・システムを、単一の折り曲げられたシート材料から形成する。この際には、ベース・システム・ブランクを折り曲げ線に沿って折り曲げる。該折り曲げ線は該架橋要素を該ベース・システムの一体的に形成された部分としての２つの端部壁と区分する。
各々端部壁に、はめ合いスロットを形成する。
２．壁アセンブリの形成
壁アセンブリは、少なくとも１つの側壁と支持要素（ベッド底部）の少なくとも一部を含む。この工程には、以下の内容が含まれる。
２つの壁アセンブリを形成する。該壁アセンブリそれぞれは、１つの側壁と支持要素の一部を有する。
２つの一体的なヒンジ部を形成する。単一の折り曲げ可能な材料を少なくとも２つの予め成形された折り曲げ線に沿って折り曲げ、２つの一体的なヒンジ部を形成する。これにより、２つの側壁に挟まれる支持要素を区分することができる。
支持要素に強化リブを形成する。側壁の側端部に隣接する領域に、はめ合いスロットを形成する。
３．端部壁が支持要素の下方まで延出し、支持要素が地面よりも上方で固定されるようにベース・システムと壁アセンブリを相互接続させる。この固定には以下の内容が含まれる。
端部壁のスロットを側壁のスロットと噛合わせる。上述の留め具を用いて、側壁を端部壁に取り付ける。少なくとも１つの強化リブを架橋要素の長手方向のスロットに挿入する。
本発明の如何なる実施形態においても、折り曲げ可能な材料は添加材料を含んでもよい。この添加材料は、結合を強化し、剛性や強度を高め（ポリマーのような）、水濡れや火に対して保護する働きを持つ。このような添加剤は、折り曲げ可能な材料に浸透させても、塗料として塗布してもよい。
【００４２】
上述の記載は、実施例を示すために用いたものであり、他の多くの実施形態も本発明の本質および範囲内で可能である。
【図面の簡単な説明】
【００４３】
【図１】概略斜視図であり、本発明にしたがって構築されるとともに動作可能とされるベビーベッドの第１の好適な実施形態を表す。
【図２】概略斜視図であり、図１の実施形態におけるベース・システムを表す。
【図２ａ】概略斜視図であり、図１の実施形態におけるベース・システムを、架橋要素を備えない状態で表す。
【図３】概略斜視図であり、図１の実施形態における壁アセンブリを表す。
【図４】概略斜視図であり、本発明にしたがって構築されるとともに動作可能とされるベビーベッドの第２の好適な実施形態を表す。
【図５】正面図であり、図４の実施形態における端部壁ブランクを折り曲げられる前の状態で表す。
【図６】図５の部分拡大図であり、はめ合いスロットに対応する部分を該端部壁が折り曲げられる前の状態で示す。
【図７】部分拡大図であり、下方に延出する端部壁はめ合いスロットを該端部壁が折り曲げられた後の状態で示す。
【図８】正面図であり、図４の実施形態における壁アセンブリを側壁が折り曲げられた後の状態で示す。
【図９】背面図であり、図４の実施形態における壁アセンブリを折り曲げられた後の状態で示す。
【図１０】上面図であり、該端部壁と側壁の相互接続部分の図９の線Ａでの断面を表す。
【図１１】概略斜視図であり、図８の壁アセンブリを図１４のベース・システムとの相互接続のために折り曲げた後の状態で示す。
【図１２】上面図であり、本発明にしたがって構築されるとともに動作可能とされる架橋要素の第１の好適な実施形態を、該架橋要素が折り曲げられる前の状態で示す。
【図１３】概略斜視図であり、図１２の架橋要素を折り曲げられた後の状態で示す。
【図１４】概略斜視図であり、図４の実施形態におけるベース・システムを表す。尚、ここでは架橋要素は壁アセンブリを挿入可能とするために伸長されている。
【図１５】概略斜視図であり、図４の実施形態におけるベース・システムを表す。尚、ここでは架橋要素は折り畳まれており、ベース・システムは保管状態とされている。
【図１６】一連の概略斜視図であり、該架橋要素の本発明によって可能とされる様々な構造を表す。
【図１７】一連の概略斜視図であり、該架橋要素の本発明によって可能とされる様々な折り曲げ形態を表す。
【図１８】一連の概略斜視図であり、該支持要素と該架橋要素の本発明によって可能とされる様々な接続形態を表す。
【図１９】一連の概略斜視図であり、該壁アセンブリの本発明によって可能とされる様々な形態を表す。
【図２０】一連の概略図であり、一重、二重及び三重の層を有する波形ダンボールを表す。
【図２１】上面図であり、本発明に従って折り曲げ可能な材料の単一シートからベース・システムを形成するためのブランクを表す。
【図２２】概略斜視図であり、図２１のベース・システムを組み立てられた状態で示す。
【図１】
2006511313.tif 000003
【図２】
2006511313.tif 000004
【図３】
2006511313.tif 000005
【図４】
2006511313.tif 000006
【図５】
2006511313.tif 000007
【図６】
2006511313.tif 000008
【図７】
2006511313.tif 000009
【図８】
2006511313.tif 000010
【図９】
2006511313.tif 000011
【図１０】
2006511313.tif 000012
【図１１】
2006511313.tif 000013
【図１２】
2006511313.tif 000014
【図１３】
2006511313.tif 000015
【図１４】
2006511313.tif 000016
【図１５】
2006511313.tif 000017
【図１６】
2006511313.tif 000018
【図１７】
2006511313.tif 000019
【図１８】
2006511313.tif 000020
【図１９】
2006511313.tif 000021
【図２０】
2006511313.tif 000022
【図２１】
2006511313.tif 000023
【図２２】
2006511313.tif 000024
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
（ａ）折り曲げ可能なシート材料からなる２つの端部壁を備えるベース・システムを備え、
前記端部壁それぞれは、単一のシート材料から形成され、該単一のシート材料は折り曲げ線に沿って折り曲げられるとともに、該折り曲げ線の一方の側の第１部分の輪郭が、他方の側の第２部分の輪郭の少なくとも一部分と略同形とされ、
折り曲げた状態で、前記第１及び第２部分の突合わせ面が固定して結合され、
（ｂ）折り曲げ可能なシート材料から形成されるとともに少なくとも１つの予め形成された第１折り曲げ線を備える少なくとも１つの側壁アセンブリを更に備え、
前記第１折り曲げ線は、一体的なヒンジ部を形成し、
該ヒンジ部は少なくとも１つの側壁アセンブリと支持要素の少なくとも一部分とを区分し、
前記側壁アセンブリを前記第１折り曲げ線に沿って折り曲げることにより第１折り曲げ部を形成し、
前記側壁アセンブリの対向する２つの端部がそれぞれ前記２つの端部壁のうち１つと相互接続し、前記２つの端部壁が前記支持要素下方に延出可能とすることを特徴とするベビーベッド。
【請求項２】
前記少なくとも１つの側壁アセンブリが２つの側壁アセンブリであり、前記側壁アセンブリのそれぞれが予め形成された強化リブ折り曲げ線を備え、
前記側壁アセンブリを前記予め形成された強化リブ折り曲げ線に沿って折り曲げることにより強化リブを形成し、前記リブが前記支持要素の前記少なくとも一部分の一辺に沿って下方に突出するようにすることを特徴とする請求項１記載のベビーベッド。
【請求項３】
前記ベース・システムが更に少なくとも１つの架橋要素を備え、
該架橋要素が前記端部壁それぞれに取り付けられるとともに前記２つの端部壁を機械的に接続し、
前記端部壁が前記架橋要素下方に延出し、
前記架橋要素が少なくとも１つの長手方向のスロットを備え、
該スロットに少なくとも１つの強化リブが挿入されることを特徴とする請求項１記載のベビーベッド。
【請求項４】
前記端部壁それぞれが更に、少なくとも２つの水平に間隔を開けて形成されるとともに下方に延出するはめ合いスロットを備え、
前記側壁アセンブリが少なくとも２つの上方に延出するはめ合いスロットを備え、
前記はめ合いスロットそれぞれが、前記側壁アセンブリの側端部に隣接する領域に配され、
前記側壁アセンブリの前記上方に延出するはめ合いスロットそれぞれが、前記端部壁それぞれの対応する前記下方に延出するはめ合いスロットと結合し、それにより前記側壁アセンブリと前記２つの端部壁を相互接続し、
前記端部壁それぞれが少なくとも２つの材料層からなり、
前記下方に延出するはめ合いスロットそれぞれが、前記端部壁それぞれの前記層それぞれに形成される対応するスロット部からなり、それにより前記下方に延出するはめ合いスロットが内側に突出するリッジを備えるようにすることを特徴とする請求項１記載のベビーベッド。
【請求項５】
（ａ）折り曲げ可能なシート材料からなる２つの端部壁を有するベース・システムを備え、
前記２つの端部壁それぞれは、少なくとも２つの水平に間隔を開けて形成されるとともに、下方に延出するはめ合いスロットを備え、
（ｂ）折り曲げ可能なシート材料からなるとともに少なくとも２つの上方に延出するはめ合いスロットを有する少なくとも１つの側壁アセンブリを更に備え、
前記上方に延出するはめ合いスロットそれぞれは、前記側壁アセンブリの側端部に隣接する領域に配され、
（ｃ）少なくとも１つの前記ベース・システム及び前記側壁アセンブリと相互接続されるとともに該ベビーベッドがその上に立つ表面にかかる負荷を支持する少なくとも１つの支持要素を更に備え、
前記側壁アセンブリの前記上方に延出するはめ合いスロットそれぞれが、対応する前記端部壁それぞれの前記下方に延出するはめ合いスロットと結合し、それにより前記側壁アセンブリと前記２つの端部壁を相互接続し、
前記端部壁それぞれが少なくとも２つの材料層からなり、
前記下方に延出するはめ合いスロットそれぞれが、対応するスロット部から形成され、
該スロット部が前記端部壁の前記層それぞれに形成され、
前記下方に延出するはめ合いスロットそれぞれが、内側に突出するリッジを備えることを特徴とするベビーベッド。
【請求項６】
前記端部壁それぞれが個別に単一のシート材料から形成され、該シート材料は折り曲げ線に沿って折り曲げられるとともに、該折り曲げ線の一方の側の第１部分の輪郭が、他方の端の側の第２部分の輪郭の少なくとも一部分と同形とされ、
前記側壁アセンブリそれぞれが予め形成された強化リブ折り曲げ線を更に備え、
前記側壁アセンブリを前記予め形成された強化リブ折り曲げ線に沿って折り曲げることにより、前記支持要素の一辺に沿って下方に突出する強化リブを形成することを特徴とする請求項５記載のベビーベッド。
【請求項７】
前記ベース・システムが更に少なくとも１つの架橋要素を備え、
該架橋要素が前記端部壁それぞれに取り付けられ、
前記２つの端部壁同士が前記架橋要素により機械的に結合され、
前記端部壁が前記架橋構要素の下方に延出することを特徴とする請求項５記載のベビーベッド。
【請求項８】
前記上方に延出するはめ合いスロットそれぞれが少なくとも２つの材料層からなり、
対応するスロット部が前記側壁アセンブリの前記層それぞれに形成され、
前記上方に延出するはめ合いスロットそれぞれが表面チャネルを備え、
該表面チャネルが前記突出リッジと噛合うことを特徴とする請求項５記載のベビーベッド。
【請求項９】
（ａ）折り曲げ可能なシート材料から形成されるベース・システムを備え、
前記ベース・システムが、
（ｂ）２つの端部壁を備え、
（ｃ）前記端部壁それぞれに取り付けられる少なくとも１つの架橋要素を更に備え、
前記２つの端部壁は、前記架橋要素により機械的に結合されるとともに、前記架橋要素の上方及び下方に延出し、
前記架橋要素は、少なくとも１つの長手方向のスロットを備え、
該スロットには少なくとも１つの強化リブが挿入され、
（ｄ）折り曲げ可能なシート材料から形成される少なくとも１つの側壁アセンブリを更に備え、
前記側壁アセンブリの２つの対向する端部のそれぞれが、前記２つの端部壁のうち１つと相互接続し、
前記２つの端部壁が前記支持要素下方に延出し、
（ｅ）前記少なくとも１つのベース・システムと前記側壁アセンブリと相互接続するとともに前記架橋要素上に支持される少なくとも１つの支持要素を備え、
前記側壁アセンブリの２つの対向する端部それぞれが、前記２つの端部壁のうち１つと相互接続し、
前記２つの端部壁が前記支持要素下方に延出することを特徴とするベビーベッド。
【請求項１０】
前記端部壁それぞれが、少なくとも２つの水平に間隔を開けて形成されるとともに下方に延出するはめ合いスロットを更に備え、
前記側壁アセンブリが、少なくとも２つの上方に延出するはめ合いスロットを備え、
前記はめ合いスロットそれぞれが、前記側壁アセンブリの側端部に隣接する領域に配され、
前記側壁アセンブリの前記上方に延出するはめ合いスロットそれぞれが、前記端部壁の前記対応する下方に延出するはめ合いスロットと結合し、それにより前記側壁アセンブリと前記２つの端部壁を相互接続することを特徴とする請求項９記載のベビーベッド。
【請求項１１】
前記少なくとも１つの側壁アセンブリが２つの側壁アセンブリであり、
前記側壁アセンブリそれぞれが、予め形成された強化リブ折り曲げ線を更に備え、
前記側壁アセンブリを前記予め形成された強化リブ折り曲げ線に沿って折り曲げることにより、前記支持要素の一辺に沿って下方に突出する強化リブを形成することを特徴とする請求項９記載のベビーベッド。
【請求項１２】
前記架橋要素の各端部が折り曲げられることにより、アタッチメント・フラップを形成し、前記端部壁への取り付けを容易にすることを特徴とする請求項９記載のベビーベッド。
【請求項１３】
前記長手方向のスロットが前記アタッチメント・フラップ内に延出することにより、前記端部壁それぞれの表面に隣接する安定スロットを形成し、
前記安定スロットが、前記強化リブの末端を挿入可能であることを特徴とする請求項１３記載のベビーベッド。
【請求項１４】
前記架橋要素が、少なくとも１つの予め形成された横方向の折り曲げ線を備え、
前記架橋要素を前記予め形成された横方向の折り曲げ線に沿って折り曲げることにより、前記ベース・システムが小型化された保管状態とされることを特徴とする請求項９記載のベビーベッド。
【請求項１５】
前記端部壁それぞれが、少なくとも２つの水平に間隔を開けて形成された下方に延出するはめ合いスロットを更に備え、
前記側壁アセンブリが少なくとも２つの上方に延出するはめ合いスロットを備え、
前記はめ合いスロットそれぞれが前記側壁アセンブリの側端部に隣接する領域に配され、
前記側壁アセンブリの前記上方に延出するはめ合いスロットそれぞれが、前記端部壁それぞれの、対応する前記下方に延出するはめ合いスロットと結合することにより前記側壁アセンブリと前記２つの端部壁を相互接続し、
前記端部壁それぞれが少なくとも２つの材料層からなり、
前記下方に延出するはめ合いスロットが、対応するスロット部から形成され、
該スロット部が前記端部壁の前記層それぞれに形成され、
前記下方に延出するはめ合いスロットそれぞれが内側に突出するリッジを備え、
前記上方に延出するはめ合いスロットそれぞれが少なくとも２つの材料層からなり、
対応するスロット部が前記側壁アセンブリの前記層それぞれに形成され、
前記上方に延出するはめ合いスロットそれぞれが表面チャネルを備え、
該表面チャネルが前記突出リッジと噛合うことを特徴とする請求項９記載のベビーベッド。
【請求項１６】
前記ベース・システムが単一の材料シートを折り曲げることにより一体的に形成され、該折り曲げにより前記架橋要素と前記２つの端部壁が区分されることを特徴とする請求項９記載のベビーベッド。
【請求項１７】
ベビーベッドを構成するための方法であって、
（ａ）折り曲げ可能なシート材料からなる２つの端部壁を備えるベース・システムと、少なくとも１つの長手方向のスロットを備える架橋要素を提供する段階であって、
前記２つの端部壁を前記架橋要素により機械的に結合し、
前記端部壁が前記橋要素下方に延出するようにする段階と、
（ｂ）折り曲げ可能なシート材料からなる少なくとも１つの側壁アセンブリ内の第１折り曲げ部を、少なくとも予め形成された第１折り曲げ線に沿って折り曲げることにより、少なくとも１つの側壁アセンブリ及び少なくとも１つの支持要素を形成する段階であって、
前記第１折り曲げ線が一体的ヒンジ部を形成し、
該ヒンジ部が前記１つの側壁アセンブリと前記少なくとも１つの支持要素を区分する段階と、
（ｃ）前記側壁アセンブリの２つの対向する端部のそれぞれを前記２つの端部壁のうち１つと相互接続する段階であって、
前記２つの端部壁が前記支持要素下方に延出するようにする段階からなる方法。
【請求項１８】
端部壁ブランクを折り曲げ部に沿って折り曲げることにより、前記端部壁それぞれを個別に単一のシート材料から形成する段階であって、
前記端部壁の折り曲げ線の一方の側の第１部分の輪郭を、他方の側の第２部分の輪郭の少なくとも一部分と略同形とする段階と、
前記端部壁ブランクが折り曲げられたときに、前記第１及び第２部分の突合わせ面を固定して結合する段階を更に備えることを特徴とする請求項１７記載の方法。
【請求項１９】
前記少なくとも１つの側壁アセンブリが２つの側壁アセンブリであることを特徴とする請求項１７記載の方法。
【請求項２０】
側壁アセンブリ・ブランクを側壁アセンブリの折り曲げ線に沿って折り曲げることにより前記側壁アセンブリそれぞれを単一のシート材料から形成し、前記折り曲げ線の一方の側の前記側壁アセンブリの第１部分の輪郭を、前記折り曲げ線の他方の側の前記側壁アセンブリの第２部分の輪郭の少なくとも一部分と略同形とする段階と、
前記側壁アセンブリ・ブランクが折り曲げられたときに、前記側壁アセンブリの前記第１及び第２部分の突合せ面を固定して結合する段階を更に備えることを特徴とする請求項１９記載の方法。
【請求項２１】
前記側壁アセンブリそれぞれを予め形成された強化リブ折り曲げ線に沿って折り曲げることにより、前記支持要素の少なくとも一部分の一辺に沿って下方に突出する強化リブを形成する段階を更に備えることを特徴とする請求項１９記載の方法。
【請求項２２】
前記少なくとも１つの強化リブを前記少なくとも１つの長手方向のスロット内に挿入する段階を更に備えることを特徴とする請求項２１記載の方法。
【請求項２３】
前記端部壁を少なくとも１つの折り曲げ線を中心に回動させることにより小型化された保管状態と組み立てられた状態との間で様々な形態を可能とする段階を更に備えることを特徴とする請求項２１記載の方法。
【請求項２４】
前記相互接続する段階が、前記端部壁それぞれの少なくとも２つの水平に間隔を開けて形成された下方に延出するはめ合いスロットのうち１つを、前記側壁アセンブリそれぞれの少なくとも２つの対応する上方に延出するはめ合いスロットと噛み合わせる段階を備え、
前記上方に延出するはめ合いスロットそれぞれが前記側壁アセンブリの側端部に隣接する領域に配され、
前記端部壁それぞれが少なくとも２つの材料層からなり、
前記下方に延出するはめ合いスロットそれぞれが対応するスロット部から形成され、
該スロット部が前記端部壁の前記層それぞれに形成され、
前記下方に延出するはめ合いスロットそれぞれが内側に延出する突出リッジを備え、
前記側壁アセンブリそれぞれが少なくとも２つの層からなり、
前記上方に延出するはめ合いスロットそれぞれが、対応するスロット部が前記側壁アセンブリの前記層それぞれに形成されるように形成され、
前記上方に延出するはめ合いスロットそれぞれが表面チャネルを備え、
該チャネルが前記突出リッジと噛合うことを特徴とする請求項２１記載の方法。
【国際調査報告】
2006511313.tif 000025